(57)【特許請求の範囲】
【請求項１】
縦方向および横方向と、身体側に位置するトップシートと、その反対側に位置するバックシートと、前記トップシートおよびバックシートの間に位置する吸収体とを含み、前記吸収体には、前記トップシート側に位置する上面から前記バックシート側に位置する下面へと貫通する貫通部が形成される吸収性物品において、
前記貫通部は、前記上面に開口して前記縦方向に長い上面開口と、前記下面に開口する下面開口と、前記上下面開口を結ぶ周壁とを有し、
前記吸収体の前記下面と前記バックシートとの間には、前記横方向に離間して前記縦方向に延びる複数条の接合手段が形成され、
前記上面開口と前記下面開口とは、前記厚さ方向において開口が重なる部分を有し、該開口が重なる部分が、前記横方向において隣接する前記接合手段の間に位置し、
前記上面開口の前記縦方向の前後端縁のうちの一方の端縁が、前記下面開口の前記縦方向の前後端縁と厚さ方向で一致することなく、前記周壁が前記上面開口の前記一方の端縁から前記下面開口の前記前後端縁のうちの一方の端縁に向かって前記上面開口の内側へと延出し、
前記下面開口の前記前後端縁のうちの他方の端縁は、前記上面開口の前記縦方向外側に延出されることを特徴とする前記吸収性物品。
【請求項２】
前記下面開口は、前記縦方向に延びる基部と、前記基部から前記縦方向の前方および後方のいずれか一方に向かって前記横方向に枝分かれする分岐部とを含み、前記基部は、前記上面開口と前記厚さ方向において開口が重なり、前記分岐部は、前記上面開口の前記縦方向外側に延出される請求項１記載の吸収性物品。
【請求項３】
前記上面開口の開口面積は、前記下面開口のそれよりも大きくされ、かつ、前記上面開口の前記縦方向の長さ寸法が、前記下面開口のそれよりも大きくされる請求項１または２に記載の吸収性物品。
【請求項４】
前記貫通部は、前記横方向の長さ寸法よりも、前記縦方向の長さ寸法の方が大きくされる請求項１〜３のいずれかに記載の吸収性物品。
【請求項５】
前記周壁には、厚さ寸法の差により形成されるとともに、周方向に延びる段部が形成される請求項１〜４のいずれかに記載の吸収性物品。
【請求項６】
前記吸収体の上下面に、液拡散シートがそれぞれ配置される請求項１〜５のいずれかに記載の吸収性物品。
【請求項７】
前記吸収体は、前記厚さ方向に積層された多数の積層体を含み、前記積層体の間には、液拡散シートが配置される請求項１〜６のいずれかに記載の吸収性物品。
【請求項８】
前記吸収体は、前記貫通部の前記横方向外側に、前記縦方向に延びる圧搾溝が形成される請求項１〜７のいずれかに記載の吸収性物品。
【発明の詳細な説明】
【技術分野】
【０００１】
この発明は、吸収性物品に関し、さらに詳しくは尿取りパッド、使い捨てのおむつ、排泄トレーニングパンツ、失禁ブリーフ等の吸収性物品に関する。
【背景技術】
【０００２】
従来、トップシートと、バックシートと、これらシートの間に介在させられた吸収体とを含む吸収性物品が知られている。例えば、特許文献１によれば、吸収体には、トップシート側からバックシート側へと貫通する孔部が形成され、孔部を尿等の体液が通過可能とされている。このような吸収性物品では、トップシート上に排泄された尿を、吸収体のトップシート側の面から吸収することができるとともに、孔部を通過した尿がバックシート側へと流動し、吸収体のバックシート側の面からも吸収することができる。したがって、吸収体の一方の面のみで、吸収する場合に比べて、より広い領域で尿を吸収することができる。
【先行技術文献】
【特許文献】
【０００３】
【特許文献１】特開２００８−２８４１９０号公報（ＪＰ  ２００８−２８４１９０  Ａ）
【発明の概要】
【発明が解決しようとする課題】
【０００４】
上記孔部は、トップシート側の開口面積と、バックシート側の開口面積とがほぼ等しく、孔部の断面が吸収体に対してほぼ垂直に形成されている。体液等は、吸収体のトップシート側の面およびバックシート側の面だけでなく、断面からも吸収可能となる。しかし、この断面を体液の吸収に利用することについての記載はされていない。
【０００５】
この発明は、吸収体における吸収速度を促進するとともに吸収領域を拡大し、吸収能力を向上させることができる吸収性物品を提供することを課題とする。
【課題を解決するための手段】
【０００６】
この発明は、縦方向および横方向と、身体側に位置するトップシートと、その反対側に位置するバックシートと、前記トップシートおよびバックシートの間に位置する吸収体とを含み、前記吸収体には、前記トップシート側に位置する上面から前記バックシート側に位置する下面へと貫通する貫通部が形成される吸収性物品の改良に関わる。
【０００７】
この発明は、前記吸収性物品において、前記貫通部は、前記上面に開口して前記縦方向に長い上面開口と、前記下面に開口する下面開口と、前記上下面開口を結ぶ周壁とを有し、前記吸収体の前記下面と前記バックシートとの間には、前記横方向に離間して前記縦方向に延びる複数条の接合手段が形成され、前記上面開口と前記下面開口とは、前記厚さ方向において開口が重なる部分を有し、該開口が重なる部分が、前記横方向において隣接する前記接合手段の間に位置し、前記上面開口の前記縦方向の前後端縁のうちの一方の端縁が、前記下面開口の前記縦方向の前後端縁と厚さ方向で一致することなく、前記周壁が前記上面開口の前記一方の端縁から前記下面開口の前記前後端縁のうちの一方の端縁に向かって前記上面開口の内側へと延出し、前記下面開口の前記前後端縁のうちの他方の端縁は、前記上面開口の前記縦方向外側に延出されることを特徴とする。
この発明の実施形態のひとつとして、前記下面開口は、前記縦方向に延びる基部と、前記基部から前記縦方向の前方および後方のいずれか一方に向かって前記横方向に枝分かれする分岐部とを含み、前記基部は、前記上面開口と前記厚さ方向において開口が重なり、前記分岐部は、前記上面開口の前記縦方向外側に延出される。
【０００８】
この発明の実施態様のひとつとして、前記上面開口の開口面積は、前記下面開口のそれよりも大きくされ、かつ、前記上面開口の前記縦方向の長さ寸法が、前記下面開口のそれよりも大きくされる。
【００１０】
他の実施態様のひとつとして、前記貫通部は、前記横方向の長さ寸法よりも、前記縦方向の長さ寸法の方が大きくされる。
【００１１】
他の実施態様のひとつとして、前記周壁には、厚さ寸法の差により形成されるとともに、周方向に延びる段部が形成される。
【００１２】
他の実施態様のひとつとして、前記吸収体の上下面に、液拡散シートがそれぞれ配置される。
【００１３】
他の実施態様のひとつとして、前記吸収体は、前記厚さ方向に積層された多数の積層体を含み、前記積層体の間には、液拡散シートが配置される。
【００１４】
他の実施態様のひとつとして、前記吸収体は、前記貫通部の前記横方向外側に、前記縦方向に延びる圧搾溝が形成される。
【発明の効果】
【００１６】
この発明によれば、吸収体に形成された貫通部は、周壁が上面開口の前後端縁から下面開口の前後端縁に向かって上面開口の内側へと延出しているので、周壁が上下開口の間で垂直に重なる場合に比べて、周壁の上面開口への露出面積を大きくすることができる。したがって、その分、体液等の吸収領域を拡大するとともに、吸収速度を促進し、吸収能力を向上させることができる。
また、上面開口の内側へと延出した周壁部は、他の部分よりも厚さが薄く、特に縦方向に延びる折曲線に沿った折れ曲がりに対して可撓性を付与する。したがって、吸収性物品が折曲線に沿って折れ曲がった際に、下面開口の両側縁が互いに接触することによって開口が閉鎖されるのを防止することができる。
【図面の簡単な説明】
【００１７】
【図１】尿取りパッドの斜視図。
【図２】第１の実施形態の展開平面図。
【図３】図２の分解組立図。
【図４】図２のＩＶ−ＩＶ線断面図。
【図５】図４の着用状態における説明図。
【図６】第２の実施形態の吸収体の平面図。
【図７】第３の実施形態の吸収体の平面図。
【図８】図７のＶＩＩＩ−ＶＩＩＩ線断面図。
【発明を実施するための形態】
【００１８】
＜第１の実施形態＞
図１〜５は、この発明の第１の実施形態を示すものであり、吸収性物品として尿取りパッドを例に挙げて説明する。
【００１９】
図１は、尿取りパッド１０の斜視図であり、図２は、尿取りパッド１０の身体側から見た展開平面図であって、弾性体をその収縮力に抗して伸長させ、尿取りパッド１０を平面に保った状態を示したものであり、図３は、図２の分解組立図、図４は、図２のＩＶ−ＩＶ線断面図、図５は、着用状態における図４と同様の断面図である。断面図は、各シートの積層状態が分かり易いようにシートを離間させて描いた模式図である。また、図４では漏れ防止カフ８０の弾性体８４が収縮した状態を示している。尿取りパッド１０は、横方向Ｘの長さ寸法を二等分する仮想縦中心線Ｐ−Ｐと、縦方向Ｙの長さ寸法を二等分する仮想横中心線Ｑ−Ｑとを含み、仮想縦中心線Ｐ−Ｐにほぼ対称に形成されている。
【００２０】
尿取りパッド１０は、縦方向Ｙおよび横方向Ｘと、身体側に位置するトップシート２０およびその反対側である着衣側に位置するバックシート３０と、これらシートの間に位置する吸収体とを含む。トップシート２０は、液透過性であり、例えば、単位面積当たりの質量が約２０ｇ／ｍ２のポリプロピレンスパンボンド繊維不織布を親水処理したものを用いることができる。バックシート３０は、不透液性であり、例えば、単位面積当たりの質量が約２３．５ｇ／ｍ２のポリエチレンフィルムを撥水処理したものを用いることができる。
【００２１】
吸収体は、厚さ方向に積層されトップシート２０側に位置する第１積層体４０と、バックシート３０側に位置する第２積層体５０とを含む。第１および第２積層体４０，５０は、吸収性のパルプや高吸収性ポリマー粒子等によって形成された吸液性芯材を含む。
【００２２】
第１積層体４０とトップシート２０との間には、第１液拡散シート６１が配置され、第２積層体５０は、第２液拡散シート６２でその上下面が覆われている。第１および第２拡散シート６１，６２としては、例えば、単位面積当たりの質量が約１５ｇ／ｍ２のティッシュペーパや繊維不織布等を用いることができる。
【００２３】
トップシート２０の身体側には、漏れ防止カフ８０が配置されている。漏れ防止カフ８０は、仮想縦中心線Ｐ−Ｐに対称に一対形成されるとともに、横方向Ｘに互いに離間して取り付けられている。漏れ防止カフ８０の横方向Ｘの外側縁部８１は、トップシート２０およびバックシート３０にホットメルト接着剤等の接合手段８３を介して接合されている。内側縁部８２は、トップシート２０に接合されることなく、トップシート２０から離間可能に形成されている（図４参照）。内側縁部８２には、スリーブを形成し、スリーブ内に弾性体８４が取り付けられている。
【００２４】
弾性体８４は、縦方向Ｙに延びるとともに、伸長状態で収縮可能に取り付けられている。漏れ防止カフ８０の前後端縁８５，８６は、トップシート２０およびバックシート３０にホットメルト接着剤等の接合手段を介して接合されている（図示せず）。尿取りパッド１０の着用状態においては、弾性体８４の収縮によって内側縁部８２が、トップシート２０から起立するように離間して、排泄された尿等が尿取りパッド１０の側縁から漏れるのを防止することができる。漏れ防止カフ８０として、例えば、単位面積当たりの質量が約１５ｇ／ｍ２のポリプロピレンスパンボンド・メルトブロー・スパンボンド（ＳＭＳ）繊維不織布を用いることができる。
【００２５】
第１積層体４０は、縦方向Ｙに離間する前後部４１，４２と、これら前後部４１，４２の間に位置するとともに、仮想横中心線Ｑ−Ｑ近傍で、その横方向Ｘの長さ寸法が小さくなるように屈曲または湾曲された狭部４３とが形成されている。第１積層体４０とバックシート３０とは、ほぼ相似形を有し、バックシート３０の方が第１積層体４０よりも大きくされている。第１積層体４０は、トップシート２０に対向する上面４４と、第２積層体５０に対向する対向面４５とを有し、これら上面４４から対向面４５へと厚さ方向にほぼ垂直に貫通するスロット状の第１貫通部４６が形成されている。
【００２６】
第１貫通部４６は、少なくとも狭部４３に位置し、この実施形態では、狭部４３から前後部４１，４２に僅かに延出されている。第１貫通部４６は、仮想縦中心線Ｐ−Ｐに重なって、縦方向Ｙに延びている。この実施形態において、第１貫通部４６の縦方向Ｙの長さ寸法は約１８０ｍｍ、横方向Ｘの長さ寸法は約２５ｍｍとされている。第１貫通部４６によって、上面４４には、前後端縁４６ａ，４６ｂおよび両側縁４６ｃを含む、上面開口が形成されるとともに、厚さ方向には周壁４６ｄが形成される。
【００２７】
第２積層体５０は、ほぼ矩形に形成され、その横方向Ｘの長さ寸法は、第１積層体４０の狭部４３とほぼ等しくされている。第２積層体５０は、バックシート３０に対向する下面５１と、第１積層体４０に対向する対向面５２とを有し、これら対向面５２から下面５１へと厚さ方向にほぼ垂直に貫通するスロット状の第２貫通部５３が形成されている。第２貫通部５３は、仮想縦中心線Ｐ−Ｐに重なって、縦方向Ｙに延びるとともに、第１貫通部４６に重なって形成されている。第２貫通部５３によって、下面５１には前後端部５３ａ，５３ｂ、両側部５３ｃを含む下面開口が形成されるとともに、厚さ方向には周壁５３ｄが形成される。
【００２８】
この実施形態において、第２貫通部５３の縦方向Ｙの長さ寸法は約９０ｍｍ、横方向Ｘの長さ寸法は約１２ｍｍとされている。したがって、第１貫通部４６は、第２貫通部５３よりも開口面積が大きく、第１積層体４０と第２積層体５０とを重ねると、第１貫通部４６の開口の内側へと第２貫通部５３の開口が露出される。すなわち、第１貫通部４６の前後端縁４６ａ，４６ｂ、両側縁４６ｃから、第２貫通部５３の前後端縁５３ａ，５３ｂ、両側縁５３ｃが延出し、第１貫通部４６と第２貫通部５３との間には、段部９１が形成される。
【００２９】
段部９１は、第１貫通部４６の周壁４６ｄ、第１貫通部４６から露出した第２積層体５０の対向面５２、および、第２貫通部５３の周壁５３ｄによって形成される。すなわち、第１積層体４０および第２積層体５０が互いに重なる部分と、第２積層体５０のみの部分とを有し、これら厚さの違いによって段部９１が形成される。このように段部９１を形成することによって、周壁４６ｄと５３ｄとを厚さ方向で一致させ、ほぼ垂直にした場合に比べて、体液の吸収能力を向上させることができる。すなわち、第１貫通部４６と第２貫通部５３との開口面積が一致している場合には、貫通部における体液の吸収は、第１貫通部４６と第２貫通部５３の周壁のみであるが、この実施形態では、第１貫通部４６と第２貫通部５３の周壁４６ｄ，５３ｄに加えて、第１貫通部４０に露出した対向面５２からも体液の吸収が可能となり、吸収速度を促進させ、吸収能力を向上させることができる。
【００３０】
上記のような第１積層体４０および第２積層体５０には、第１貫通部４６および第２貫通部５３の横方向Ｘ外側に、圧搾溝９２が形成されている。圧搾溝９２は、第１積層体４０、第２積層体５０、および液拡散シート６１，６２が積層された状態で、上面４４から下面５１に向かって加圧・加熱によって形成される。圧搾溝９２を形成することによって、第１積層体４０および第２積層体５０の積層を密にすることができるとともに、圧搾溝９２における密度が大きくなることから尿などの体液を上面４４から下面５１へと誘導することができる。さらに、着用状態において、尿取りパッド１０が圧搾溝９２に沿って折れ曲がり易くなる。この実施形態では、圧搾溝９２の縦方向Ｙの長さ寸法よりも、第１貫通部４６のそれの方が大きくされている。
【００３１】
第２積層体５０は、第２液拡散シート６２を介して、バックシート３０にホットメルト接着剤等の接合手段３１を介して接合される。接合手段３１は、縦方向Ｙに延びるともに横方向Ｘに離間して複数条形成される。図２〜４に示すように、厚さ方向において第１貫通部４６の開口と第２貫通部５３の開口とが重なる部分は、横方向Ｘにおいて隣接する接合手段３１の間に位置する。
【００３２】
上記のような尿取りパッド１０は、第１および第２貫通部４６，５３が着用者の排泄位置に対応するように着用されることが好ましい。また、尿取りパッド１０は、他のおむつと組み合わせて、おむつの内側に取り付けたり、下着やカバーなどに取り付けたりして使用することができる。このようにして着用された尿取りパッド１０に尿が排泄された場合には、尿は、トップシート２０を通過して、第１液拡散シート６１によって縦方向Ｙおよび横方向Ｘに拡散されて第１積層体４０に吸収されるとともに、第１貫通部４６へも流入する。第１貫通部４６に流入した尿は、段部９１からも吸収可能となることは、先に述べたとおりである。
【００３３】
第１積層体４０と第２積層体５０との間には、第２液拡散シート６２が配置されているから、尿は、この第２液拡散シート６２に沿って第１積層体４０と第２積層体５０との間を移行し、第１積層体４０または第２積層体５０からそれぞれ吸収される。第１貫通部４６および第２貫通部５３を通過した尿は、第２積層体５０とバックシート３０の間へと移行し、第２積層体５０の下面５１から吸収可能となる。第２積層体５０とバックシート３０の間には、第２液拡散シート６２が配置されているから、尿は、第２液拡散シート６２に沿って縦方向Ｙおよび横方向Ｘに拡散して吸収される。
【００３４】
上記のように、第１および第２液拡散シート６１，６２を配置することによって、広範囲での吸収性芯材の利用が可能になる。すなわち、吸液性芯材の局部で尿が吸収されることによる吸収速度の低下や、吸収領域の減少を抑制することができる。
【００３５】
図５は、図４と同様の図であって、着用状態における模写を示したものである。尿取りパッド１０は、第１積層体４０の前部４１が着用者の前方であって外性器側に、後部４２が着用者の後方であって臀部側に位置するように着用させることが好ましい。この着用状態において、狭部４３は、着用者の鼠蹊部または大腿部によって、横方向Ｘ外側から内側へと押しつけられるようになる。尿取りパッド１０が押し付けられると、図５に示したように、その断面がＷ字状に折れ曲がる。
【００３６】
尿取りパッド１０は、圧搾溝９２、第１および第２貫通部４６，５３において、他の部分との剛性差によって、仮想縦中心線Ｐ−Ｐに平行に延びる折曲線が形成されやすい。第１および第２貫通部４６，５３が位置する横方向Ｘの中央付近は、着用者に接近するように折れ曲がるとともに、圧搾溝９２は、着用者から離間するように折れ曲がる。このように折れ曲がることによって、断面がＷ字状になるように形成され、排泄された尿は、より第１および第２貫通部４６，５３に流入しやすくなる。
【００３７】
第２積層体５０とバックシート３０との間には、横方向Ｘに離間した接合手段３１が形成されているから、これら接合手段３１の間では、バックシート３０から第２積層体５０が離間して、空隙９３を形成することができる。空隙９３には、排泄された尿を一次溜めることができるから、吸液性芯材として初期吸収速度が遅い高吸収性ポリマー粒子等を用いた場合でも、確実に尿を吸収することができる。
【００３８】
上記のような尿取りパッド１０において、第１貫通部４６の前後端縁４６ａ，４６ｂと、第２貫通部５３の前後端縁５３ａ，５３ｂとの間には、段部９１によって他の部分よりも薄い領域が形成される。この領域は、他の領域よりも剛性が低く、上記のような折曲線に沿った折れ曲がりに対して可撓性を付与することができる。特に図５の状態において、第２貫通部５３の両側縁５３ｃが互いに接触して、この貫通を閉鎖するのを防止することができる。貫通が閉鎖されれば、尿が、第２積層体５０の下面５１側にまで移動することができず、この下面５１からの吸収を阻害するが、この実施形態では、このような阻害を防止することができる。なお、吸収体が可撓性を有するためには、吸液性芯材として比較的繊維長の長いパルプ等を使用することが好ましい。
【００３９】
上記のような構成において、第１および第２積層体４０，５０は、パルプ等の吸液性芯材を厚さ方向に積層させることによって形成することができる。この場合、第１および第２貫通部４６，５３に対応する部分には芯材が積層されないようにすることによって、これら第１および第２貫通部４６，５３を形成することができる。また、第１および第２積層体４０，５０の全面に芯材を積層させた後、第１および第２貫通部４６，５３を刳り抜いてもよい。
【００４０】
この実施形態では、第１および第２貫通部４６，５３の周壁４６ｄ，５３ｄから第１および第２液拡散シート６１，６２が離間されて形成されるが、これらシート６１，６２を、各周壁４６ｄ，５３ｄに密着させるようにすることも可能である。このように周壁４６ｄ，５３ｄに第１および第２液拡散シート６１，６２を密着させることによって、周壁からの尿の吸収を向上させることもできる。
【００４１】
この実施形態において、第１貫通部４６のほぼ中心に第２貫通部５３が位置し、第１貫通部４６の前後端縁４６ａ，４６ｂおよび両側縁４６ｃの全域から、第２貫通部５３の前後端縁５３ａ，５３ｂおよび両側縁５３ｃが延出し、段部９１が周壁４６ｄ，５３ｄの全周に亘ってその周方向に形成されている。しかし、段部９１は、前後端縁４６ａ，４６ｂのいずれかに形成されればよく、周壁４６ｄおよび５３ｄの周方向の一部に段部９１が形成されていてもよい。したがって、第１および第２貫通部４６，５３の横方向Ｘの長さ寸法が同一であって、横方向Ｘには段部９１が形成されない態様であってもよい。また、第２貫通部５３は、第１貫通部４６の縦方向Ｙのいずれかに偏在し、段部９１は、前後端縁４６ａ，４６ｂのいずれか一方にのみ形成される態様であってもよい。さらに、第２貫通部５３は、必ずしも第１貫通部４６の内側に位置する必要はなく、前後端縁５３ａ，５３ｂのいずれか一方が、第１貫通部４６から外側に延出しているような態様であってもよい。
【００４２】
この実施形態では、第１貫通部４６が、狭部４３から前後部４１，４２に延出するともに、圧搾溝９２よりも縦方向の長さ寸法が大きくなるようにされている。第１および第２貫通部４６，５３の縦方向Ｙの長さ寸法を大きくすることによって、上面４４における開口面積を大きくすることができるから、多量の尿が排泄された場合であっても、速やかにこれを吸収することができる。また、第１および第２積層体４０，５０は、縦方向Ｙに長く延びているから、第１および第２貫通部４６，５３も縦方向Ｙに長くすることによって、これら第１および第２積層体４０，５０の吸液性芯材を有効に利用することができる。
【００４３】
吸収体は、第１積層体４０と第２積層体５０とを含むこととされているが、これに限られることなく３以上の積層体を含んでもよい。この場合には、上層から下層の積層体に向かうにつれて、段階的または連続的に貫通部の開口面積が小さくなるようにすることができる。第１および第２貫通部４６，５３は、仮想横中心線Ｑ−Ｑから前方側に形成されているが、これに限られることなく、適宜変更可能である。特に、尿取りパッド１０の縦方向Ｙの全体の長さ寸法によって、第１および第２貫通部の寸法、位置を決定することができる。また、第１および第２貫通部４６，５３は、縦方向Ｙの長さ寸法が横方向Ｘのそれよりも大きくなるようにしている。このようにすることによって、着用者が横向きに寝たときには、尿の吸収領域を大きくすることができる。すなわち、第１および第２貫通部４６，５３に流入した尿は、これら貫通部内に拡散するとともに、縦方向Ｙの長さ寸法で水平面に向かって浸透するから、縦方向Ｙの寸法が大きければ、その分浸透領域が大きくなる。
【００４４】
＜第２の実施形態＞
図６は、第２の実施形態の吸収体の平面図である。この実施形態では、第２積層体５０に形成された第２貫通部５５は、仮想縦中心線Ｐ−Ｐに重なる基部５６と、基部５６から縦方向Ｙの前方に向かって横方向Ｘに枝分かれする分枝部５７とを含むことを特徴とする。他の構成要素については第１の実施形態と同様であるので、その説明を省略する。
【００４５】
第１積層体４０および第１貫通部４６は、第１の実施形態と同様である。第２積層体５０に形成された第２貫通部５５は、縦方向Ｙに延びる基部５６と、基部５６から延びる一対の分枝部５７を含み、全体としてＹ字形に形成されている。分枝部５７は、前方に向かって互いに離間し、その角度Ｒが約６０°とされている。このような第２貫通部５５は、基部５６において第１貫通部４６と重なり、分枝部５７においては第１貫通部４６から延出している。すなわち、分枝部５７は、第１貫通部４６の前端縁４６ａから縦方向Ｙ外側に位置している。
【００４６】
このような実施形態において、第１貫通部４６の後端縁４６ｂと第２貫通部５５の後端縁５５ｂの間に、段部９１が形成される。
【００４７】
上記のような構成において、尿取りパッド１０を着用すると、第１の実施形態と同様に、第１および第２貫通部４６，５５に沿って、第１および第２積層体４０，５０が折れ曲がる。第２貫通部５５では、基部５６および分枝部５７に沿って折れ曲がる。分枝部５７は前方に位置しているので、尿取りパッド１０は、特に排泄位置の近くで着用者に対して面で接触することができ、より広い面積で着用者に対して密着し、尿を吸収することができる。
【００４８】
第２貫通部５５が、第１貫通部４６の前端縁４６ａよりも縦方向Ｙ外側に位置することで、第１貫通部４６の吸収容量を減少させることなく、尿をより広い範囲に拡散させて吸収することができる。すなわち、第１貫通部４６の開口面積は変わらないが、第１貫通部４６から流入した尿は、第２貫通部５５の基部５６および分枝部５７を介して、より遠くにまで拡散することができるからである。
【００４９】
この実施形態では、分枝部５７を基部５６の前方に形成しているが、後方に形成するようにしてもよい。また、基部５６および分枝部５７の寸法や、第１貫通部４６との相対的位置関係は、この実施形態に限られることなく、適宜変更可能である。
【００５０】
＜第３の実施形態＞
図７は、第３の実施形態の吸収体の平面図であり、図８は、図７のＶＩＩＩ−ＶＩＩＩ線断面図である。この実施形態では、一層の吸収体７０を用いることを特徴とする。その他の構成については第１の実施形態と同様であるので、その説明を省略する。
【００５１】
吸収体７０は、トップシート側に位置する上面７１と、バックシート側に位置する下面７２とを含み、これら上下面７１，７２を貫通する貫通部７３が形成される。貫通部７３の形成によって、上面７１には、前後端部７１ａ，７１ｂおよび両側部７１ｃによって上面開口が形成される。下面７２には、前後端部７２ａ，７２ｂおよび両側部７２ｃによって上面開口が形成される。さらに、厚さ方向には、周壁７４が形成される。
【００５２】
周壁７４は、上面７１から下面７２に向かって、開口内側へと傾斜し、段部が形成されることはない。周壁７４が傾斜することによって、上面７１の前後端部７１ａ，７１ｂの内側に下面７２の前後端部７２ａ，７２ｂが延出するとともに、両側部７１ｃの内側に両側部７２ｃが延出している。すなわち、上面７１の開口面積が、下面７２の開口面積よりも大きく、上面開口の内側に下面開口が形成され、上面開口から周壁７５を臨むことができる。
【００５３】
上記のような構成にすることによって、周壁７４が上面７１から下面７２に向かってその厚さ方向に垂直に形成される場合に比べて、上面開口への露出面積を大きくすることができ、尿の吸収能力を向上させることができる。また、この周壁７４によって、貫通部７３の折れ曲がりに対して可撓性を付与することもできる。また、吸収体７０の上面７１および下面７２に、それぞれ液拡散シートを配置することもできる。
【符号の説明】
【００５４】
１０    尿取りパッド（吸収性物品）
２０    トップシート
３０    バックシート
３１    接合手段
４０    第１積層体
４４    上面
４６    第１貫通部
４６ａ  前端縁
４６ｂ  後端縁
４６ｄ  周壁
５０    第２積層体
５１    下面
５３    第２貫通部
５３ａ  前端縁
５３ｂ  後端縁
５３ｄ  周壁
５５    第２貫通部
６１    第１液拡散シート
６２    第２液拡散シート
７０    吸収体
７１    上面
７２    下面
７３    貫通部
７４    周壁
９１    段部
９２    圧搾溝
Ｘ      横方向
Ｙ      縦方向
【図１】
0005566666.tif 000002
【図２】
0005566666.tif 000003
【図３】
0005566666.tif 000004
【図４】
0005566666.tif 000005
【図５】
0005566666.tif 000006
【図６】
0005566666.tif 000007
【図７】
0005566666.tif 000008
【図８】
0005566666.tif 000009